(57)【要約】【課題】合成樹脂製の袋を予め入れ子状に重ねておき、これを上方が開放した箱に嵌めいれておく構造を有する収納具において、一番上の袋を取り出す際に、下に重なる袋が一緒にくっついて取り出されることを抑制することを課題とする。【解決手段】上方が開放した箱体からなる外枠と、上方が開放した合成樹脂性の複数の袋体であって、互いに入れ子状になって前記外枠の内壁に沿うように装着される複数の袋体とからなる収納具において、前記外枠の底面には磁石を設けるとともに、前記各袋体の底面には前記磁石が吸着するように薄い磁石又は薄い磁性体が上方から見て前記外枠に設けた磁石に重なる位置に設ける。【選択図】  図４
2014005118.tif 000002
【特許請求の範囲】
【請求項１】
上方が開放した箱体からなる外枠と、
上方が開放した合成樹脂性の複数の袋体であって、互いに入れ子状になって前記外枠の内壁に沿うように装着される複数の袋体と
からなる収納具であって、
前記外枠の底面には磁石が設けられるとともに、前記各袋体の底面には前記磁石が吸着するように薄い磁石又は薄い磁性体が上方から見て前記外枠に設けられる磁石に重なる位置に設けられる収納具。
【発明の詳細な説明】
【技術分野】
【０００１】
本発明は、ゴミや商品などを袋に収納するために用いる器具に関する。
【背景技術】
【０００２】
合成樹脂性の袋は、ゴミ箱に装着してゴミを集めるために用いたり、商品などを包装したり等、種々の物を収容するために用いられる。ところで、ゴミ箱の袋を装着する場合、袋を交換する度に、袋を重ねた束から取り出して、これを広げてゴミ箱に嵌めいれる必要があり、また、商品などを包装する場合も、袋を重ねた束から取り出し、これを広げる必要がある。しかし、薄い合成樹脂の袋は取り出す際にも重なった別の袋が引っ付いて取り出されたり、袋を広げる際にも開口が吸着して開きにくかったりし、作業性が悪いという問題がある。
これに対して、下記特許文献には、合成樹脂製の袋を予め入れ子状に重ねておき、これを上方が開放した箱に嵌めいれておく発明が示されている。このような構成によれば、袋内部に収容物を入れたあと、一番上の袋を取り出せば、直ぐに次の袋が開いた状態にあるので、ゴミ箱として使用する場合に袋を交換する必要が無く、袋は常に開いた状態にあるので、袋を広げる手間が要らず作業効率がよい。
【先行技術文献】
【特許文献】
【０００３】
【特許文献１】特開2002-356202号公報
【特許文献２】特開平07-315502号公報
【特許文献３】特開平03-147601号公報
【特許文献４】特開平01-48702号公報
【特許文献５】実用新案登録第3018479号公報
【特許文献６】実用新新案登録第2512890号公報
【特許文献７】実願平03-107155号公報
【特許文献８】実開平04-79801号公報
【特許文献９】実開平02-137304号公報
【特許文献１０】実開平01-53103号公報
【特許文献１１】実開昭63-157004号公報
【発明の概要】
【発明が解決しようとする課題】
【０００４】
しかし、上記のような構造を有する収納具においても、薄い合成樹脂性の袋が重なっているので、一番上の袋を取り出す際に、下に重なっている二番目の袋もくっついて一緒に取り出されることが考えられる。このように、袋が重なって取り出されると煩わしく、また、作業性も悪くなる。
本発明は、このような問題に鑑みて、合成樹脂製の袋を予め入れ子状に重ねておき、これを上方が開放した箱に嵌めいれておく構造を有する収納具において、一番上の袋を取り出す際に、下に重なる袋が一緒にくっついて取り出されることを抑制することを課題とする。
【課題を解決するための手段】
【０００５】
上記課題を解決するために、本発明は次のような構成を有する。
即ち、本発明は、上方が開放した箱体からなる外枠と、上方が開放した合成樹脂性の複数の袋体であって、互いに入れ子状になって前記外枠の内壁に沿うように装着される複数の袋体とからなる収納具であって、前記外枠の底面には磁石が設けられるとともに、前記各袋体の底面には前記磁石が吸着するように薄い磁石又は薄い磁性体が上方から見て前記外枠に設けられる磁石に重なる位置に設けられる収納具である。
【発明の効果】
【０００６】
以上のような構成を有する本発明は、各袋体は底面において磁石又は磁性体が重なって吸着している。袋に磁石が設けられている場合、磁石は重なるほど磁力が強くなり、袋体に磁性体が設けられている場合、磁性体は外枠底面の磁石に近いほど磁力が強くなる。ここで、一番上から二番目の袋体の磁石又は磁性体に働く磁力を考えると、下側には多数の袋体が重なり、外枠底面の磁石もあるので、一番上の袋体の磁石又は磁性体により上側に引張られる力よりも、下側の重なった磁石又は磁性体に引張られる力の方が大きくなる。従って、収納具から一番上の袋体のみを取り出すために引っ張り上げると、直ぐ下に重なる二番目の袋体もくっついて引っ張り上げられる力が生じるが、外枠底面の磁石や袋体に設ける磁石の磁力を適当なものにしておくことで、当該二番目の袋には引っ張り上げられる力よりも強い磁力で下側に引っ張るようにすることがで、結果として、二番目の袋体は引っ張り上げられることなく、一番目の袋体のみを取り出すことができる。
【図面の簡単な説明】
【０００７】
【図１】実施形態に係る収納具の斜視図である。
【図２】実施形態に係る収納具の模式的な縦断面図である。
【図３】（ａ）は枠体の模式的な縦断面図であり、（ｂ）は袋体の模式的な縦断面図である。
【図４】実施形態に係る収納具の底面近傍の模式的な拡大縦断面図であり、（ｂ）は一番上の袋体が離れた状態を示す収納具の底面近傍の模式的な拡大縦断面図である。
【発明を実施するための形態】
【０００８】
以下、本発明の実施の形態について、図面を参照しながら説明する。
図１に本実施形態に係る収納具Xの斜視図を示し、図２に収納具Ｘの模式的な縦断面図を示す。収納具Ｘは枠体１０と袋２０とから構成される。枠体１０は段ボール製の上方が開放した直方体状の箱体である。袋体２０は上方が開放した合成樹脂性の袋である。袋体２０は図２に示すように複数の袋体２０が入れ子状に重なり、各袋体は枠体１０の内面に沿うように枠体２０内に収まっている。また、袋体２０の上縁は枠体１０の上部開口部分で折り返されることで、袋体２０は枠体１０に固定される。なお、図２では模式的に示しているので、袋体２０同士の間隔が空き、袋体２０を重ねた厚さも厚く表されているが、実際の袋体２０は薄いシートにより形成され袋体２０同士はぴったりと密着しており、数十枚重なっても厚みは１ｃｍ以下程度となる。
【０００９】
図３（ａ）に枠体１０の模式的な縦断面図を示す。枠体１０の底面には板状の磁石１１が設けられている。磁石１１は細長い長方形状の磁石で、枠体１０の中央に貼り付けられている。磁石１１の極性はここでは上面がS極、下面がN極となるものが用いられている。
図３（ｂ）に袋体２０の模式的な縦断面図を示す。袋体２０の底面には薄い磁石２１が設けられている。磁石２１は細長い長方形状の磁石で、枠体１０に装着したときに、枠体１０の磁石１１に重なる位置に固定されている。磁石２１の極性は磁石１１に吸着するものが用いられ、ここでは上面がS極、下面がN極となっている。各袋体２０は磁石２１が設けられているので、袋体２０は入れ子状に重なった状態において各磁石２１同士は互いに位置が重なり、互いに吸着し合うこととなる。
【００１０】
次に、以上のような構成を有する収納具Ｘの使用方法及び作用効果について以下に説明する。収納具Ｘは図１に示すような状態にあるので、使用者は、上部の開口からごみやその他の収納物を入れる。収納が完了したら、使用者、一番上の袋体２０の上部を返して、一番上の袋体２０を取り出す。この際、枠体１０及び袋体２０の磁石１１、２１の磁力を適当なものとしておけば、一番上の袋体２０の直ぐ下にある二番目の袋体２０は一番上の袋体２０に引っ張られても剥がれることなく、一番上の袋体２０と分離する。
図４を用いてこのことを説明する。図４（ａ）に収納具Ｘの底面近傍の模式的な拡大縦断面図を示す。図４（ａ）において上から二番目の袋体２０ｂに注目する。袋体２０ｂの磁石２１ｂは、一番上の袋体２０ａの磁石２１ａからの磁力Ｆ2を受ける一方で、下に重なった残りの袋体２０の磁石２１及び枠体１０の磁石１１が重なった磁石Ｍからの磁力Ｆ1を受ける。また、一番上の袋体２０ａと二番目の袋体２０ｂとの間には静電気などによる吸着力Ｆ3が生じる。ここで、磁力Ｆ1を磁力Ｆ2と吸着力Ｆ3の総和よりも大きなものとしておけば、一番上の袋体２０ａを引っ張り上げたときに、二番目の袋体２０ｂは磁力Ｆ1によって、一番上の袋体２０ａに引っ付くことなくとどまり、図４（ｂ）に示すように一番上の袋体２０aのみが分離することとなる。
一番上の袋体２０が分離すると、二番目の袋体２０が一番上になって、図１に示すような状態となるので、以下同様の操作を袋体２０がなくなるまで行なうことができる。
【００１１】
なお、上記実施形態では、袋体２０に磁石２１を設けたが、これは磁石でなく、薄い鉄板や鉄製のテープなどの磁性体を用いてもよい。また、磁石や磁性体を粉状として成形前の袋体２０の底部近傍に混ぜて、極性を持たせるように磁界内で固めることで袋体２０の底部をいわゆるボンド磁石としてもよい。なお、磁性体粉末を磁性体のまま使用する場合は、磁界内で固めることを要しない。さらに、磁性ポリマーを袋体２０の底面に設けることもできる。それから、磁石の形状や位置、極性、数は特に限定されるものではなく、枠体１０の磁石１１と袋体２０の磁石２１とが平面視で重なり、互いに吸着するように配置されていれば、種々の変更が可能である。
【符号の説明】
【００１２】
Ｘ  収納具
１０  枠体
１１  磁石
２０  袋体
２１  磁石
【図１】
2014005118.tif 000003
【図２】
2014005118.tif 000004
【図３】
2014005118.tif 000005
【図４】
2014005118.tif 000006